(57)【特許請求の範囲】
【請求項１】
回路基板に形成した回路パターンへの外方からの静電気の侵入を防止する回路基板の静電気侵入防止構造において、
前記回路基板の回路パターンは前記回路基板の表面に露出した状態で形成される回路パターンであり、
一方前記回路基板の回路パターンを露出させる開口部を備えた表面側アース基板を具備し、この表面側アース基板は前記回路基板の回路パターンを形成した面側に重ねて載置され、
さらに前記回路基板と前記表面側アース基板は互いに接続部で接続された一枚のフレキシブル回路基板で構成されると共に、前記接続部を折り返すことで前記回路基板と前記表面側アース基板とが重ね合わせられ、
少なくとも前記回路基板の回路パターンを形成した面又はその裏面の回路パターンの少なくとも周囲を囲む位置と、前記表面側アース基板の表面又は裏面の前記回路パターンの周囲を囲む位置とに、それぞれ回路パターンの外方から入射する静電気をアースしてこの回路パターンへの静電気の侵入を防止する静電気侵入防止パターンを形成し、さらに前記回路基板と前記表面側アース基板に形成した各静電気侵入防止パターンを前記接続部を介して互いに連結したことを特徴とする回路基板の静電気侵入防止構造。
【請求項２】
請求項１に記載の回路基板の静電気侵入防止構造において、
前記一枚のフレキシブル回路基板は、そのいずれか一方の面側に前記回路パターンを形成し、他方の面側に前記連結した両静電気侵入防止パターンを形成したことを特徴とする回路基板の静電気侵入防止構造。
【発明の詳細な説明】
【技術分野】
【０００１】
本発明は、回路基板に形成した回路パターンへの外部からの静電気の侵入を防止する回路基板の静電気侵入防止構造に関するものである。
【背景技術】
【０００２】
従来、抵抗体パターンやスイッチパターンなどの各種回路パターンを形成した回路基板を具備してなる電子部品として、例えばケース内に収納した回路基板に形成された回路パターン上に摺動子や接点部材などが載置され、これら摺動子や接点部材をつまみによって操作して回路パターンに摺接させたり当接させたりすることで、この回路パターンの電気的出力を変化させるように構成された電子部品がある。
【特許文献１】特開平１１−３５３９６５号公報
【発明の開示】
【発明が解決しようとする課題】
【０００３】
ところでこの種の電子部品では、つまみに静電気が帯電した指が触れると、その静電気がつまみとケースの隙間などからケース内に入り込んで、回路基板に形成した回路パターンに侵入してしまい、それにより電子部品の誤動作や故障などが生じる恐れがあった。静電気は、つまみとケースの隙間以外にも、例えばケースの他の隙間などからもケース内に入り込んで回路基板に入射するなど、あらゆる方向から回路基板に入射するおそれがあり、この静電気の回路パターンへの侵入を効果的に防止する対策が必要である。従来この対策としては、ケースに別部品の金属板などからなるシールド部材を取り付けたり、ケースの内面にシールド用のアルミ箔などを貼り付けたりして、回路基板の周囲をシールドしていたが、その方法では、電子部品の構造が複雑になり部品点数が増大するという問題があった。
【０００４】
本発明は上述の点に鑑みてなされたものでありその目的は、簡単な構造で回路基板に形成した回路パターンへの外方からの静電気の侵入を効果的に防止できる回路基板の静電気侵入防止構造を提供することにある。
【課題を解決するための手段】
【０００５】
上記課題を解決するため本願の請求項１に記載の発明は、回路基板に形成した回路パターンへの外方からの静電気の侵入を防止する回路基板の静電気侵入防止構造において、前記回路基板の回路パターンは前記回路基板の表面に露出した状態で形成される回路パターンであり、一方前記回路基板の回路パターンを露出させる開口部を備えた表面側アース基板を具備し、この表面側アース基板は前記回路基板の回路パターンを形成した面側に重ねて載置され、さらに前記回路基板と前記表面側アース基板は互いに接続部で接続された一枚のフレキシブル回路基板で構成されると共に、前記接続部を折り返すことで前記回路基板と前記表面側アース基板とが重ね合わせられ、少なくとも前記回路基板の回路パターンを形成した面又はその裏面の回路パターンの少なくとも周囲を囲む位置と、前記表面側アース基板の表面又は裏面の前記回路パターンの周囲を囲む位置とに、それぞれ回路パターンの外方から入射する静電気をアースしてこの回路パターンへの静電気の侵入を防止する静電気侵入防止パターンを形成し、さらに前記回路基板と前記表面側アース基板に形成した各静電気侵入防止パターンを前記接続部を介して互いに連結したことを特徴とする。
【０００７】
本願の請求項２に記載の発明は、請求項１に記載の回路基板の静電気侵入防止構造において、前記一枚のフレキシブル回路基板は、そのいずれか一方の面側に前記回路パターンを形成し、他方の面側に前記連結した両静電気侵入防止パターンを形成したことを特徴とする。
【発明の効果】
【００１２】
本願の請求項１に記載の発明によれば、少なくとも回路基板の回路パターンを形成した面又はその裏面の回路パターンの少なくとも周囲を囲む位置に静電気侵入防止パターンを形成したので、簡単な構造で部品点数を増加させずに回路パターンへの静電気の侵入を効果的に防止でき、回路基板を設置する電子部品の構造を複雑化せずに、静電気による誤動作や故障などの不具合の発生を防止できる。
【００１３】
本願の請求項１に記載の発明によれば、回路基板の回路パターンを形成した面側に重ねて載置した表面側アース基板上の回路パターンの少なくとも周囲を囲む位置に静電気侵入防止パターンを形成したので、回路基板の回路パターンを形成した面側から入射する静電気の回路パターンへの侵入を効果的に防止でき、回路基板を設置する電子部品の静電気による誤動作や故障などの不具合の発生を防止できる。
【００１４】
本願の請求項１に記載の発明によれば、回路パターンが回路基板の表面に露出した状態で形成される回路パターンであり、表面側アース基板は、回路パターンを露出させる開口部を備えて回路パターンの周囲を囲む形状に形成されているので、例えば摺接パターンなどの露出した状態で設置する回路パターンを備える場合に、この回路パターンの周囲を囲む位置に静電気侵入防止パターンを形成して静電気の侵入を効果的に防止することができ、回路基板を設置する電子部品の静電気による誤動作や故障などの不具合の発生を防止できる。
【発明を実施するための最良の形態】
【００１９】
以下、本発明の実施形態を図面に基づいて詳細に説明する。
〔第１実施形態〕
図１、図２は、本発明の第１実施形態にかかる静電気侵入防止構造を備えた回路基板を具備する電子部品（以下「回転式電子部品」という）１の分解斜視図であり、図１はその上側部分を示す図で、図２はその下側部分を示す図である。これらの図に示すように回転式電子部品１は、つまみ１０と、クリック板３０を取り付けたケース２０と、クリックバネ４０と摺動子６０を取り付けた回転型物５０と、本発明にかかる静電気侵入防止構造を備えた回路基板（以下「フレキシブル回路基板」という）７０と、支持部材９０と、取付部材９５とを備えて構成されている。以下、回転式電子部品１の各構成部品について説明する。
【００２０】
つまみ１０は、略円形の平板形状に形成された合成樹脂の成型品で、その外周側面が指などでつまんで操作する操作部１１になっている。一方、下面の中央には、下方に向かって突出する中空筒状の軸部１２が設けられ、軸部１２の下端には、いずれも下方に向かって突出する柱状の突起である３個の固定部１２ａが形成されている。
【００２１】
ケース２０は、合成樹脂の成形品で、略円形の平板状に形成された上壁２１の外周に下方に向かう側壁２２が設けられ、側壁２２の内側に下面側に開口する凹部である収納部２３が形成されている。上壁２１の中央には収納部２３に連通する開口部２４が設けられていて、開口部２４の外周には上方に向かって突出するリング状の突出部２５が形成されている。一方、側壁２２の下端面の等間隔の４箇所には、下方に向かって突出する突起状の固定部２６が形成され、収納部２３の底面（上壁２１の下面）の開口部２４の両外側には、下方に向かって突出する突起状の固定部２７が形成されている。
【００２２】
クリック板３０は、金属板をリング状に形成して構成されており、全周にわたって貫通穴からなるクリック係合部３１を等間隔に設け、また外周の両端からクリック板３０の外側に向けて二つの舌片状の突起３２を突出し、その中にケース２０の固定部２７を固定する小孔からなる取付固定部３３を設けて構成されている。
【００２３】
クリックバネ４０は、弾性金属板をリング状に形成して構成されており、その１８０度対向する位置に貫通穴からなる一対の取付固定部４１を設け、両取付固定部４１の間にそれぞれリング状部分の周方向に沿って形成された一対のスリット部４２を設け、両スリット部４２の外側の円弧状部分をその根元部分から上方向に折り曲げることで構成される一対のアーム部４３を備えている。そして両アーム部４３の中央には、上方向に突出する突起状のクリック弾接部４４を設けている。
【００２４】
回転型物５０は、合成樹脂を略円形の板状に成形して構成されており、その外周側面の寸法が、ケース２０の収納部２３の内周側面の寸法よりも若干小さく形成されている。そして上面の中央には上方に向かって突出する円柱状の突起部５１を形成し、この突起部５１につまみ１０の固定部１２ａを挿通させる３個の貫通孔からなる取付固定部５１ａを設けている。また回転型物５０の上面の突起部５１の両外側にはそれぞれクリックバネ４０の取付固定部４１に固定される突起状の固定部５２が設けられている。また回転型物５０の下面の外周近傍には、摺動子６０を固定する突起状の固定部５３が設けられている。
【００２５】
摺動子６０は、導電性を有する弾性金属板によって構成され、平板状の基部６１の一端から二本の摺動冊子６２を突出しこれらを基部６１の下面側に折り曲げて形成されている。基部６１には貫通穴からなる取付固定部６３が設けられている。
【００２６】
次に、図３はフレキシブル回路基板７０を展開した状態を示す図であり、同図（ａ）は上面側から見た図で、同図（ｂ）は下面側から見た図である。図２及び図３に示すようにフレキシブル回路基板７０は、一枚の可撓性を有する合成樹脂フイルム（ポリエチレンテレフタレートフイルム〔ＰＥＴフイルム〕等）からなる薄板状の部材の上に回路パターンを形成した構成であり、このフレキシブル回路基板７０は、回路基板部７１と、表面側アース基板部７２と、裏面側アース基板部７３と、接地側アース基板部７４の４つの基板部を備えている。そして、回路基板部７１は、表面側アース基板部７２と接続部７５で接続され、さらに回路基板部７１は、裏面側アース基板部７３と接続部７６で接続され、その裏面側アース基板部７３は接地側アース基板部７４と接続部７７で接続され、さらに接地側アース基板部７４から引出部７８が引き出されている。なお図２では、フレキシブル回路基板７０はその接続部７５，７６，７７がいずれも折り返されて、回路基板部７１と表面側アース基板部７２と裏面側アース基板部７３と接地側アース基板部７４とが互いに重ね合わされた状態の分解図を示しており、さらに同図では図示の都合上、各接続部７５，７６，７７が切断された状態を示している。
【００２７】
そしてこのフレキシブル回路基板７０の一方の面については、回路基板部７１と裏面側アース基板部７３と接地側アース基板部７４に回路パターンが形成され、その裏面については、回路基板部７１と表面側アース基板部７２と裏面側アース基板部７３と接地側アース基板部７４のすべてに静電気侵入防止パターンが形成されている。なお以下では、このフレキシブル回路基板７０の回路パターンを形成した面を表面側と称し、その裏面である静電気侵入防止パターンを形成した面を裏面側と称す。以下、４つの基板部の構成を詳細に説明する。
【００２８】
回路基板部７１は、ケース２０の下面（側壁２２の下端面）の外形と略同一の円形形状に形成され、その上面の中央には、円形のリング状のコモンパターン８１と、コモンパターン８１の両外側に配置された円弧状の一対の抵抗体パターン８２とを設けてなる回路パターン８０が形成されている。この回路パターン８０は、摺動子６０の摺動冊子６２を摺接させる摺接パターンであり、回路基板部７１の表面に露出した状態で形成されている。そしてコモンパターン８１からは回路パターンである配線パターン８１ａが引き出され、両抵抗体パターン８２の一端側からは、それぞれ回路パターンである配線パターン８２ａが引き出されて、これらは共に裏面側アース基板部７３と接地側アース基板部７４を通って引出部７８に導かれ、その先で図示しない他の回路に接続されている。
【００２９】
そして図３（ｂ）に示すように、回路基板部７１の裏面側の回路パターン８０の周囲を囲む位置に、回路基板部７１の外周に沿って所定幅のリング形状に形成された静電気侵入防止パターン８３が設けられている。この静電気侵入防止パターン８３は、銀などの導電粉を樹脂バインダーに混練して分散させた樹脂含有導電ペーストを回路基板部７１に塗布して形成されたものである。以下の他の静電気侵入防止パターンも同様の方法で形成されている。一方、回路基板部７１の外周近傍の４箇所には、貫通穴からなる取付固定部７１ａが設けられている。各取付固定部７１ａは、それぞれケース２０の各固定部２６に対応する位置に設けられている。
【００３０】
表面側アース基板部７２は、その外形が回路基板部７１の外形と同形状で、中央に回路パターン８０を露出させるための開口部７２ｂを設けて回路パターン８０の周囲を囲むリング形状に形成されている。またそのケース２０の各固定部２６に対応する位置には貫通穴からなる取付固定部７２ａが設けられている。そして、この表面側アース基板部７２の裏面側の全面には、静電気侵入防止パターン８４が形成されている。次に、裏面側アース基板部７３は、回路基板部７１と同形状で、そのケース２０の各固定部２６に対応する位置に貫通穴からなる取付固定部７３ａが設けられている。そしてその裏面側には、その外周に沿って所定幅のリング形状に形成された静電気侵入防止パターン８５が設けられている。次に、接地側アース基板部７４は、回路基板部７１と同形状に形成され、そのケース２０の各固定部２６に対応する位置には貫通穴からなる取付固定部７４ａが設けられている。またその裏面側には、その外周に沿って所定幅の略円弧形状に形成された静電気侵入防止パターンからなる接地パターン８６が設けられている。この接地パターン８６は、回転式電子部品１を組み立てた際に取付部材９５に当接してアースされる。
【００３１】
また、各接続部７５，７６，７７の裏面側にもそれぞれ静電気侵入防止パターン８７，８８，８９が形成されていて、回路基板部７１と表面側アース基板部７２と裏面側アース基板部７３それぞれの裏面側に形成された静電気侵入防止パターン８３，８４，８５と接地側アース基板部７４に形成された接地パターン８６とがこれら静電気侵入防止パターン８７，８８，８９を介して互いに連結されている。
【００３２】
次に、支持部材（支持板）９０は、ケース２０の下面（側壁２２の下端面）の外形と略同一形状に形成された合成樹脂製の硬質板で、その外周近傍のケース２０の固定部２６に対応する位置に、貫通穴からなる取付固定部９１を設けて構成されている。
【００３３】
取付部材（取付板）９５は、ケース２０の下面（側壁２２の下端面）の外形と略同一形状に形成された金属板などの導電性を有する硬質板で、その外周近傍のケース２０の固定部２６に対応する位置に、貫通穴からなる取付固定部９６を設けて構成されている。
【００３４】
次に、回転式電子部品１の組み立て方法を説明する。まずケース２０の収納部２３内にクリック板３０を設置する。その際、ケース２０の固定部２７をクリック板３０の取付固定部３３に挿通させて、突起３２の下面側に突出した固定部２７の先端を熱カシメすることで、クリック板３０を収納部２３内の上壁２１の下面の開口部２４の周囲に固定する。一方、クリックバネ４０を回転型物５０に取り付ける。その際クリックバネ４０を回転型物５０の突起部５１の周囲に取り付けて、回転型物５０の固定部５２をクリックバネ４０の取付固定部４１に挿通してクリックバネ４０の上面側に突出させ、その先端を熱カシメすることで、回転型物５０の上面にクリックバネ４０を載置して固定する。また、回転型物５０の下面の固定部５３に摺動子６０の取付固定部６３を取り付けて、基部６１の下面側に突出した固定部５３の先端を熱カシメすることで、摺動子６０を回転型物５０の下面に取り付ける。そしてこのクリックバネ４０と摺動子６０を取り付けた回転型物５０をケース２０の収納部２３内に収納すると共に、ケース２０の開口部２４にその上側からつまみ１０の軸部１２を挿入して固定部１２ａを回転型物５０の取付固定部５１ａに挿通させて、回転型物５０の下面側に突出した固定部１２ａの先端を熱カシメして固定する。これにより、ケース２０の開口部２４の上下でつまみ１０と回転型物５０が一体に固定され、且つ回転型物５０はケース２０の収納部２３内に回転自在に収納される。さらにこのとき、クリックバネ４０のクリック弾接部４４がクリック板３０に弾接していずれかのクリック係合部３１に係合した状態となる。
【００３５】
一方、フレキシブル回路基板７０の接続部７５を折り返して、回路基板部７１の表面側の面に表面側アース基板部７２の表面側の面を対向させて重ね合わせ、開口部７２ｂから回路基板部７１の回路パターン８０を露出させた状態にする。また回路基板部７１の下側（裏面側）に支持部材９０を設置すると共に、接続部７６を折り返して支持部材９０の下面に裏面側アース基板部７３の裏面側の面を対向させて重ね合わせる。さらに接続部７７を折り返して裏面側アース基板部７３の表面側の面に接地側アース基板部７４の表面側の面を対向させて重ね合わせる。このようにして重ね合わせたフレキシブル回路基板７０と支持部材９０とを、先に組み立てた回転式電子部品１の上側部分のケース２０の下面（側壁２２の下端面）に取り付けて、さらにその下面に取付部材９５を取り付ける。この際、ケース２０の固定部２６をフレキシブル回路基板７０の各取付固定部７１ａ，７２ａ，７３ａ，７４ａと、支持部材９０の取付固定部９１と、取付部材９５の取付固定部９６とにそれぞれ挿通させて、取付部材９５の下面側に突出する固定部２６の先端を熱カシメしてこれら各部材を一体に固定することで、回転式電子部品１の組み立てが完了する。
【００３６】
図４は、組み立てた回転式電子部品１の概略側断面図である。同図に示すように回転式電子部品１では、回路基板部７１の裏面側の回路パターン８０の周囲を囲む位置に静電気侵入防止パターン８３が形成され、回路基板部７１の表面側に重ねて載置した表面側アース基板部７２の回路パターン８０の周囲を囲む位置に静電気侵入防止パターン８４が形成され、回路基板部７１の裏面側に支持部材９０を介して重ねて載置した裏面側アース基板部７３の回路パターン８０の周囲を囲む位置に静電気侵入防止パターン８５が形成され、これら各静電気侵入防止パターン８３，８４，８５で回路パターン８０の周囲が囲まれた状態になっている。また、回路基板部７１と表面側アース基板部７２と裏面側アース基板部７３とは、接続部７５，７６で接続された一枚のフレキシブル回路基板７０で構成されると共に、各接続部７５，７６が折り返されてこれら回路基板部７１と表面側アース基板部７２と裏面側アース基板部７３とが重ね合わされている。また、静電気侵入防止パターン８３，８４，８５は、接続部７５，７６を介して互いに連結されており、さらに静電気侵入防止パターン８５は、接続部７７を介して接地パターン８６に連結されており、この接地パターン８６は、取付部材９５に当接してアースされている。したがって、静電気侵入防止パターン８３，８４，８５は、いずれもアースされている。
【００３７】
次に、回転式電子部品１の動作を説明する。つまみ１０の操作部１１を指などでつまんで回転させると、つまみ１０と一体に回転型物５０が回転し、クリックバネ４０のクリック弾接部４４がクリック板３０に弾接して各クリック係合部３１に順に係合することで、つまみ１０と回転型物５０が一体に所定角度ずつ回転してクリック感覚を生じる。そのとき、摺動子６０の摺動冊子６２が回路パターン８０のコモンパターン８１と抵抗体パターン８２の上を摺接移動することで、コモンパターン８１と抵抗体パターン８２に接続された配線パターン８１ａ，８２ａ（図３参照）間の電気的出力が順に変化する。
【００３８】
ここで、つまみ１０を操作する指などが帯電していると、高圧の静電気が例えばつまみ１０の操作部１１の下端とケース２０との隙間δなどからケース２０内に入り込み、ケース２０内の各部品の間などを通って回路基板部７１の表面に入射して、この回路基板部７１の表面に露出した状態で形成されている回路パターン８０に侵入しようとする。しかしながら回転式電子部品１では、回路パターン８０に侵入しようとする静電気は、回路パターン８０の周囲を囲む位置に配置されてアースされている静電気侵入防止パターン８３，８４，８５のいずれかに入射するので、回路パターン８０に侵入するおそれがない。すなわち図４に示すように、回路基板部７１の表面側に載置された表面側アース基板部７２に静電気侵入防止パターン８４が形成されていることで、つまみ１０を介してケース２０内に入射し、ケース２０と回転型物５０の隙間などを通って回路基板部７１の表面側から回路パターン８０に侵入しようとする静電気を遮断できる。また、回路基板部７１の裏面の回路パターン８０の周囲を囲む位置にも静電気侵入防止パターン８３が形成されているので、ケース２０の下面と支持部材９０との隙間などから侵入して回路基板部７１の側方から回路パターン８０に侵入しようとする静電気を遮断できる。さらに、回路基板部７１の裏面側に載置された裏面側アース基板部７３にも静電気侵入防止パターン８５が形成されているので、回路基板部７１の裏面側から回路パターン８０に侵入しようとする静電気も遮断できる。このように、多くの方向から回路基板部７１に入射する静電気の回路パターン８０への侵入を効果的に防止できる。したがって、回転式電子部品１の静電気による誤動作や故障などの不具合の発生を防ぐことができる。
【００３９】
また、回路基板部７１と表面側アース基板部７２と裏面側アース基板部７３とを接続部７５，７６で接続した一枚のフレキシブル回路基板７０で構成し、接続部７５，７６を折り返すことで、これら各基板部７１，７２，７３を重ね合わせたので、部品点数を増大させることなく、回路基板部７１の表面側や裏面側や側方などの多くの方向から回路基板部７１に入射する静電気の回路パターン８０への侵入を効果的に防止する静電気侵入防止構造を実現できる。また図３に示すように、フレキシブル回路基板７０は、そのいずれか一方の面側に回路パターン８０を形成し、他方の面側に静電気侵入防止パターン８３，８４，８５と接地パターン８６とを形成した構造なので、簡単な工程で一枚のフレキシブル回路基板７０に回路パターン８０と静電気侵入防止パターン８３，８４，８５及び接地パターン８６を形成することが可能となり、その製作工程が簡素化できる。
【００４０】
なお静電気侵入防止パターン８３，８４，８５と接地パターン８６は、各基板部７１，７２，７３，７４上であって回路パターン８０の周囲を囲む位置に形成されていれば、どのように形成されていてもよく、その形状や形成する位置は上記に限られない。例えば上記以外にも、表面側アース基板部７２や裏面側アース基板部７３に形成する静電気侵入防止パターン８４，８５は、これら表面側アース基板部７２や裏面側アース基板部７３の表面側と裏面側の両方に形成することもできる。また、裏面側アース基板部７３に形成する静電気侵入防止パターン８５は、裏面側アース基板部７３の外周のみでなくその全面に形成することもできる。また接地側アース基板部７４に形成される接地パターン８６の形状やその形成位置は、図示した形状等に限られるものではない。また上記では、回路基板部７１と表面側アース基板部７２と裏面側アース基板部７３と接地側アース基板部７４とが接続されてこれらが一枚のフレキシブル回路基板７０で構成されている場合を示したが、これら各基板部７１，７２，７３，７４は、互いに分離した別の基板で構成することもできる。
【００４１】
〔第２実施形態〕
次に、本発明の第２実施形態にかかる静電気侵入防止構造を備えた回路基板を説明する。本実施形態にかかる図面及びその説明においては、第１実施形態と共通する構成部分には同一の符号を付す。なお以下で説明する事項以外の事項については、第１実施形態と同じである。以下の他の実施形態においても同様とする。図５は、本発明の第２実施形態にかかる静電気侵入防止構造を備えたフレキシブル回路基板７０−２の一部を示す図である。即ち同図では、フレキシブル回路基板７０−２の回路基板部７１と接続部７５，７６の一部分のみを図示しており、その他の部分は図示を省略している。本実施形態が第１実施形態と異なるのは、回路基板部７１の回路パターン８０を形成した面（表面側）の回路パターン８０の周囲を囲む位置に静電気侵入防止パターン９７を形成した点である。そして図示は省略するがこの静電気侵入防止パターン９７は、例えばスルーホールなどを用いて回路基板部７１の裏面の静電気侵入防止パターン８３に接続され、これによって取付部材９５にアースされる接地パターン８６に連結してアースされている。さらにこれ以外にも図示は省略するが、回路基板部７１の裏面側の静電気侵入防止パターン８３を省略して、表面側の静電気侵入防止パターン９７だけを形成してこれをアースすることも可能である。
【００４２】
〔第３実施形態〕
図６は、本発明の第３実施形態にかかる静電気侵入防止構造を備えたフレキシブル回路基板７０−３の構成を示す図である。また、図７は、フレキシブル回路基板７０−３を具備してなる電子部品（以下「押圧式電子部品」という）１−２の概略側断面図である。このフレキシブル回路基板７０−３が第１実施形態のフレキシブル回路基板７０と異なるのは、回路パターン８０にかえて接点パターン９８と接続パターン９９とからなる回路パターン８０−２を設置すると共に、裏面側アース基板部７３と接地側アース基板部７４を省略して構成されている点である。回路パターン８０−２は、導電ペーストを印刷形成することで回路基板部７１の中央に形成された接点パターン９８と、接点パターン９８の外周にこれを囲むように導電ペーストを印刷形成した円弧状の接続パターン９９とを備えてなるスイッチパターンである。接点パターン９８と接続パターン９９からはそれぞれ回路パターンである配線パターン９８ａ，９９ａが引き出されて、これらは共に回路基板部７１から引き出された引出部７９に導かれて、その先の図示しない他の回路に接続されている。そしてこの回路パターン８０−２上に、弾性金属板をドーム形状に形成してなる反転板１００が載置されている。反転板１００は、その下面外周が接続パターン９９上に当接し、その中心部が接点パターン９８の真上に位置するように載置されている。これらにより、反転板１００の反転時にその中心部が接点パターン９８に接触することで接点パターン９８と接続パターン９９とが導通すると共に、クリック感覚を生じるスイッチ１０１（図７参照）が構成される。そしてこのフレキシブル回路基板７０−３は、接続部７５を折り返すことで回路基板部７１の上側（表面側）に表面側アース基板部７２をその裏面側を上にして載置し、開口部７２ｂから回路基板部７１の回路パターン８０−２上に載置した反転板１００を露出させた状態としている。
【００４３】
図７に示すように、このフレキシブル回路基板７０−３を設置する押圧式電子部品１−２は、ケース１１０の開口部１１１内に上下動自在に設置された押圧キートップ１２０を備えている。押圧キートップ１２０の下面には、突起状の押圧部１２１が設けられている。そしてこの押圧キートップ１２０を設置したケース１１０の下面に、組み立てたフレキシブル回路基板７０−３が取り付けられて押圧キートップ１２０の押圧部１２１が反転板１００上に載置された状態になっており、さらにフレキシブル回路基板７０−３の下側に金属板製の取付部材１３０が取り付けられている。この押圧式電子部品１−２では、回路パターン８０−２の周囲を囲む位置に静電気侵入防止パターン８３，８４が設置されていて、これら静電気侵入防止パターン８３，８４は、取付部材１３０を介してアースされている。
【００４４】
この押圧式電子部品１−２は、指などで押圧キートップ１２０を押圧して下降させると、押圧部１２１が反転板１００を押圧して反転させ、スイッチ１０１がオンする。一方、押圧キートップ１２０の押圧を解除すると、反転板１００の復帰力により押圧キートップ１２０が上昇してスイッチ１０１がオフする。この押圧式電子部品１−２では、回路基板部７１の表面（表面側）に露出した状態で形成された回路パターン８０−２に侵入しようとする静電気は、回路パターン８０−２の周囲を囲む位置に設置されてアースされている各静電気侵入防止パターン８３，８４に入射し、回路パターン８０−２に侵入するおそれがないので、押圧式電子部品１−２の静電気による誤動作や故障などの不具合の発生を防ぐことができる。なお、本実施形態では表面側アース基板部７２をリング形状に形成したが、これ以外にも表面側アース基板部７２は、その開口部７２ｂを省略した円形の平板形状に形成して、反転板１００の上部を覆うように設置してもよい。
【００４５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば、回転式電子部品１や押圧式電子部品１−２の構造は、本発明の静電気侵入防止構造を備えた回路基板を具備する電子部品の一例であり、本発明がこれらの実施形態に限定されるものではない。また、フレキシブル回路基板７０，７０−２，７０−３に形成した回路パターン８０，８０−２の構造は一例である。即ち、上記の各実施形態における回路基板部７１の表面に露出して形成された回路パターンは摺接パターン８０やスイッチパターン８０−２であるが、これ以外にも本発明にかかる静電気防止構造を備えた回路基板が備える回路パターンは、他の回路と接続するための引き出し用端子として機能を有する露出した電極パターン（回路パターン）などでもよい。さらに上記した摺接パターン８０やスイッチパターン８０−２のように回路基板の表面に露出させた状態で形成する回路パターンのみならず、例えば固定抵抗パターンのようにその表面に絶縁層が塗布されていて回路基板の表面に露出していない回路パターンであってもよく、回路基板上に形成しうるあらゆる回路パターンが含まれる。
【００４６】
また、各実施形態における回路基板部７１、裏面側アース基板部７３、接地側アース基板部７４の各基板部は、その外周のみに静電気侵入防止パターンを設けているが、静電気侵入防止パターンは、各基板部の全面に設けることもできる。
【００４７】
また、上記第１実施形態の支持部材９０は、回路基板部７１をその下面側から支持するために設置しているものであり、回路基板部７１を支持する必要がない場合はこれを省略することもできる。
【００４８】
ここで、上記の第１実施形態にかかる回転式電子部品１では、回路パターン８０が回路基板部７１の表面に露出した状態で形成されている。そしてこの回路パターン８０は、摺動冊子６２を摺接させる摺接パターンであるため、回路パターン８０の上にこれを覆うように静電気防止シートなどを設置して静電気の侵入を防止する構造は採用できない。そこで第１実施形態のように、回路基板部７１の表面側に重ねて設置する表面側アース基板部７２に、回路パターン８０を露出させるための開口部７２ｂを設けて回路パターン８０の周囲を囲むリング形状に形成し、この表面側アース基板部７２に静電気侵入防止パターン８４を形成している。こうすることで、露出させた状態で設置しなければならない回路パターン８０への静電気の侵入を効果的に防止できる静電気侵入防止構造を実現している。
【００４９】
また、第１実施形態のように回路基板部７１の表面側に載置された表面側アース基板部７２に静電気侵入防止パターン８４を形成する以外にも、図５に示す第２実施形態のフレキシブル基板７０−２のように、回路基板部７１の表面側の回路パターン８０の周囲を囲む位置に静電気侵入防止パターン９７を形成することも可能であるが、その場合、回路基板部７１の外形寸法を小型化すると、回路基板部７１の表面側に露出する回路パターン８０や配線パターン８１ａ，８２ａに接近する位置に静電気侵入防止パターンを形成しなければならなくなり、ショートのおそれが生じる。特に、第２実施形態のフレキシブル基板７０−２のようなスルーホールを用いずに、接続部７６の表面側から静電気侵入防止パターン９７の引出用の配線パターンを引き出そうとすると、そこに形成されている配線パターン８１ａ，８２ａに非常に接近してしまいショートのおそれが生じる。接続部７６でのショートを防止するために、第２実施形態のフレキシブル基板７０−２のように、接続部７６には静電気侵入防止パターン９７用の配線パターンを形成せず、スルーホールなどを介して回路基板部７１の裏面側に形成した静電気侵入防止パターン８３にアースすることもできるが、そうするとフレキシブル基板７０−２の製造工程が煩雑になりコストアップにつながってしまう。
【００５０】
その点、第１実施形態の回転式電子部品１が備える表面側アース基板部７２は、一枚のフレキシブル基板７０の一部であり、且つ回路パターン８０を形成した面の裏面側に静電気侵入防止パターン８４が形成されていて、これが接続部７５の裏面側に形成した静電気侵入防止パターン８７を介してアースされているので、既述したようにフレキシブル基板７０の裏面側だけに静電気侵入防止パターンを形成すればよく、その製造工程が簡単になる。またこのように構成したことで、接続部７５を折り曲げて表面側アース基板部７２を回路基板部７１の表面側に重ね合わせるだけで、露出する回路パターン８０への上方からの静電気の侵入を効果的に防止できる静電気侵入防止構造を簡単に実現できる。また回路基板部７１の表面側に重ねて設置した表面側アース基板部７２に静電気侵入防止パターン８４を形成していることで、配線パターン８１ａ，８２ａの上部にもこれを覆うように静電気侵入防止パターン８４を設置することができるので、配線パターン８１ａ，８２ａに静電気が侵入することも効果的に防止できる。
【図面の簡単な説明】
【００５１】
【図１】本発明の第１実施形態にかかる静電気侵入防止構造を備えた回路基板を具備する回転式電子部品１の上側部分の分解斜視図である。
【図２】回転式電子部品１の下側部分の分解斜視図である。
【図３】フレキシブル回路基板７０の展開図で、同図（ａ）はその上面側から見た図で、同図（ｂ）はその下面側から見た図である。
【図４】回転式電子部品１の概略側断面図である。
【図５】フレキシブル回路基板７０−２の一部を示す図である。
【図６】フレキシブル回路基板７０−３の展開図で、同図（ａ）はその上面側から見た図で、同図（ｂ）はその下面側から見た図である。
【図７】フレキシブル回路基板７０−３を具備する押圧式電子部品１−２の概略側断面図である。
【符号の説明】
【００５２】
１                回転式電子部品
１−２            押圧式電子部品
１０              つまみ
２０              ケース
２３              収納部
３０              クリック板
４０              クリックバネ
５０              回転型物
６０              摺動子
７０              フレキシブル回路基板
７１              回路基板部
７２              表面側アース基板部
７３              裏面側アース基板部
７４              接地側アース基板部
７５              接続部
７６              接続部
７７              接続部
８０              回路パターン
８０−２          回路パターン
８１              コモンパターン
８２              抵抗体パターン
８３              静電気侵入防止パターン
８４              静電気侵入防止パターン
８５              静電気侵入防止パターン
８６              接地パターン
９０              支持部材（支持板）
９５              取付部材（取付板）
９７              静電気侵入防止パターン
９８              接点パターン
９９              接続パターン
【図１】
0004632877.tif 000002
【図２】
0004632877.tif 000003
【図３】
0004632877.tif 000004
【図４】
0004632877.tif 000005
【図５】
0004632877.tif 000006
【図６】
0004632877.tif 000007
【図７】
0004632877.tif 000008